(57)【要約】【課題】  従来よりも感度が高く、かつ受信帯域幅の広い、赤外線受信装置を提供する。【解決手段】  赤外線を媒体として送られてくる複数のチャンネルを受信するための受光回路１５６は、２つの光電変換回路２２０および２２０ａと、これらの出力信号を加算する加算回路２４６とを、備えている。さらに、各光電変換回路２２０および２２０ａは、同調回路２２６および２２６ａを有しており、それぞれの同調周波数ｆ１およびｆ２は互いに異なる。そして、受信しようとするチャンネルの周波数において、加算回路２４６の出力レベル、換言すれば各同調回路２２６および２２６ａによる総合的な同調レベルが、良好な受信感度を得るために必要とされる所定レベル以上となるように、当該各同調回路２２６および２２６ａの同調周波数ｆ１およびｆ２が設定される。【選択図】        図６
2005318375.tif 000002
【特許請求の範囲】
【請求項１】
赤外線を媒体として送られてくる互いに基準周波数の異なる複数の高周波信号を受信する赤外線受信装置において、
上記赤外線を受光して電気信号に変換する複数の受光手段と、
上記受光手段毎に対応して設けられそれぞれ対応する該受光手段によって変換された上記電気信号が入力される複数の同調手段と、
上記複数の同調手段の出力信号を合成する合成手段と、
を具備し、
上記合成手段の出力レベルが上記基準周波数と同じ周波数において所定レベル以上となるように上記複数の同調手段の周波数特性が設定されたこと、
を特徴とする、赤外線受信装置。
【請求項２】
上記受光手段のそれぞれは上記赤外線が入射されるフォトダイオードを備え、
上記同調手段のそれぞれは対応する上記受光手段の上記フォトダイオードの容量成分を構成要素に含む、
請求項１に記載の赤外線受信装置。
【請求項３】
所定領域内の各地点から送られてくる上記赤外線を受光可能とするように上記複数の受光手段が構成された、請求項１または２に記載の赤外線受信装置。
【請求項４】
赤外線を媒体として送られてくる互いに基準周波数の異なる複数の高周波信号を受信する赤外線受信装置において、
上記赤外線を受光して電気信号に変換する受光手段と、
上記受光手段によって変換された上記電気信号が入力される同調手段と、
上記同調手段の同調周波数を任意の上記基準周波数に一致させる同調制御手段と、
を具備し、
上記高周波信号のそれぞれは互いに周波数帯域の異なる第１周波数信号と第２周波数信号とが混合された混合信号を含み、
上記同調手段の出力信号から上記混合信号を再現する再現手段と、
上記再現手段によって再現された上記混合信号を上記第１周波数信号と上記第２周波数信号とに分離する分離手段と、
をさらに備えることを特徴とする、赤外線受信装置。
【請求項５】
上記第２周波数信号は上記第１周波数信号よりも周波数帯域の高い信号である、請求項４に記載の赤外線受信装置。
【請求項６】
上記受光手段は上記赤外線が入射されるフォトダイオードを備え、
上記同調手段は上記フォトダイオードの容量成分を構成要素に含む、
請求項４または５に記載の赤外線受信装置。
【請求項７】
赤外線を媒体として送られてくる互いに基準周波数の異なる複数の高周波信号を受信する赤外線受信装置において、
上記赤外線を受光して電気信号に変換する受光手段と、
上記受光手段によって変換された上記電気信号が入力される同調手段と、
を具備し、
上記同調手段は上記電気信号に複同調処理を施し、
上記同調手段の出力レベルが上記基準周波数と同じ周波数において所定レベル以上となるように該同調手段の周波数特性が設定されたこと、
を特徴とする、赤外線受信装置。
【請求項８】
上記周波数特性は平坦特性または双峰特性である、請求項７に記載の赤外線受信装置。
【請求項９】
上記受光手段は上記赤外線が入射されるフォトダイオードを備え、
上記同調手段は上記フォトダイオードの容量成分を構成要素に含む、
請求項７または８に記載の赤外線受信装置。
【請求項１０】
赤外線を媒体として送られてくる互いに基準周波数の異なる複数の高周波信号を同時に１以上受信する赤外線受信装置において、
上記赤外線を受光して電気信号に変換する受光手段と、
上記受光手段によって変換された上記電気信号が入力される同調手段と、
受信する上記高周波信号の数に応じて上記同調手段の周波数特性を変化させる特性制御手段と、
を具備し、
上記同調手段の出力レベルが上記受信する高周波信号の上記基準周波数と同じ周波数において上記数に応じた所定レベル以上となるように上記周波数特性が設定されたこと、
を特徴とする、赤外線受信装置。
【請求項１１】
上記特性制御手段は上記周波数特性のＱ値を変化させる、請求項１０に記載の赤外線受信装置。
【請求項１２】
上記受光手段は上記赤外線が入射されるフォトダイオードを備え、
上記同調手段は上記フォトダイオードの容量成分を構成要素に含む、
請求項１０または１１に記載の赤外線受信装置。
【請求項１３】
赤外線を媒体として送られてくる互いに基準周波数の異なる複数の高周波信号を同時に１以上受信する赤外線受信装置において、
上記赤外線を受光して電気信号に変換する複数の受光手段と、
上記受光手段毎に対応して設けられそれぞれ対応する該受光手段によって変換された上記電気信号が入力される複数の同調手段と、
受信する上記高周波信号の数に応じて上記複数の同調手段を個別に有効化する有効化手段と、
上記有効化手段によって有効化された上記同調手段の出力信号を合成する合成手段と、
を具備し、
上記合成手段の出力レベルが上記受信する高周波信号の上記基準周波数と同じ周波数において所定レベル以上となるように上記複数の同調手段の周波数特性が設定されたこと、
を特徴とする、赤外線受信装置。
【請求項１４】
上記受光手段のそれぞれは上記赤外線が入射されるフォトダイオードを備え、
上記同調手段のそれぞれは対応する上記受光手段の上記フォトダイオードの容量成分を構成要素に含む、
請求項１３に記載の赤外線受信装置。
【請求項１５】
上記高周波信号は周波数変調された信号である、請求項１ないし１４のいずれかに記載の赤外線受信装置。
【発明の詳細な説明】
【技術分野】
【０００１】
この発明は、赤外線を媒体として送られてくる高周波信号を受信する赤外線受信装置に関し、特に例えば互いに基準周波数の異なる複数の高周波信号を受信する赤外線受信装置に関する。
【背景技術】
【０００２】
この種の赤外線受信装置として、従来、例えば非特許文献１に開示されたワイヤレスマイクシステムに適用されるものがある。この従来技術によれば、図２５に示すように、赤外線受信装置としての受光センサ１が、例えば天井または壁面に１台以上（最大で４台）取り付けられる。それぞれの受光センサ１は、同軸ケーブル２を介してセンサカプラ３に接続され、センサカプラ３は、別の同軸ケーブル４を介して光ワイヤレスチューナ５に接続される。一方、送信側としては、例えばハンド型の光ワイヤレスマイクロホン６が、用意されている。なお、図には示さないが、ハンド型の他に、タイピン型の光ワイヤレスマイクロホンも、用意されている。
【０００３】
この構成において、光ワイヤレスマイクロホン６を用いて発言が成されると、その発言内容を含むＦＭ（Frequency Modulation）信号が、当該光ワイヤレスマイクロホン６内で生成される。そして、このＦＭ信号は、さらに赤外線に変換（輝度変調）されて、光ワイヤレスマイクロホン６から発射される。発射された赤外線は、適宜の場所、例えば光ワイヤレスマイクロホン６の近傍にある受光センサ１に入射される。受光センサ１は、入射された赤外線を電気信号に変換し、さらにこの電気信号に同調処理を施す。これによって、ＦＭ信号が再現される。再現されたＦＭ信号は、受光センサ１から同軸ケーブル２，センサカプラ３および同軸ケーブル４を介して光ワイヤレスチューナ５に入力される。光ワイヤレスチューナ５は、入力されたＦＭ信号に復調処理を施して、音声信号を取り出す。取り出された音声信号は、図示しないアンプまたはミキサを経て図示しないスピーカに入力され、これによって上述の発言内容が再生される。
【０００４】
なお、この従来技術は、日本電子機会工業会（ＥＩＡＪ）によって制定された“ＣＰＸ−１２０６”という赤外線空間アナログ音声伝送方式に関する規格に準拠しており、最大で４本の光ワイヤレスマイクロホン６を同時に使用することができ、つまり４つのチャンネルを有している。具体的には、１ｃｈ〜４ｃｈ（ＣＰＸ−１２０６規格におけるＨ１〜Ｈ４）という４つのチャンネルが用意されており、光ワイヤレスマイクロホン６として、それぞれのチャンネル毎に専用のもの（型式；ＷＭ−ＰＨ７１１，ＷＭ−ＰＨ７１２，ＷＭ−ＰＨ７１３およびＷＭ−ＰＨ７１４）が用意されている。一方、受光センサ１として、１ｃｈおよび２ｃｈ専用のもの（型式；ＷＴ−ＰＳ３１）と、３ｃｈおよび４ｃｈ専用のもの（型式；ＷＴ−ＰＳ３２）とが、用意されている。また、光ワイヤレスチューナ５についても、１ｃｈおよび２ｃｈ専用のもの（型式；ＷＴ−ＰＨ３１）と、３ｃｈおよび４ｃｈ専用のもの（型式；ＷＴ−ＰＨ３２）とが、用意されている。従って、これら光ワイヤレスマイクロホン６，受光センサ１および光ワイヤレスチューナ５として、全てのタイプ（型式）のものを備えることによって、１ｃｈ〜４ｃｈの計４つのチャンネルによる同時通信が可能となる。
【非特許文献１】日本ビクター株式会社製“光ワイヤレスマイクシステムＷＴ−ＰＨ３１シリーズ”カタログ、［online］、［平成１６年４月７日検索］、インターネット＜URL;http://www.jvc-victor.co.jp/pdf/pro/catalog/WT-PH31.pdf＞
【発明の開示】
【発明が解決しようとする課題】
【０００５】
このように、従来技術では、１台の受光センサ１によって１ｃｈおよび２ｃｈ、または３ｃｈおよび４ｃｈという２つのチャンネルを同時に受信可能としているが、これを実現するために、上述の同調処理において、いわゆるＱ（Quality factor）ダンプ処理を施している。即ち、当該同調処理を担う同調回路のＱ値を故意に下げることによって、同調周波数付近での特性（選択度）を平坦化させて、受信帯域幅を広げている。しかし、Ｑダンプ処理が施されると、当然に、同調周波数付近およびその周辺領域において受信感度が低下する。その結果、個々の受光センサ１による赤外線の受光可能範囲（通信可能範囲）が狭くなる、という問題が生じる。
【０００６】
また、かかるＱダンプ処理によって受信帯域幅を広げているにも拘らず、従来技術では、１台の受光センサ１によって同時に２つのチャンネルしか受信することができない。従って、３つ以上のチャンネルを同時に受信するには、上述の如く受光センサ１（および光ワイヤレスチューナ５）として２つのタイプのものが必要となり、その分、システム全体の構成が大規模化し、かつ高コスト化する、という問題がある。
【０００７】
そこで、この発明は、これらの問題を解決するべく、従来よりも高感度で、かつ受信帯域幅の広い赤外線受信装置を提供することを、目的とする。
【課題を解決するための手段】
【０００８】
第１の発明は、赤外線を媒体として送られてくる互いに基準周波数の異なる複数の高周波信号を受信する赤外線受信装置において、当該赤外線を受光して電気信号に変換する複数の受光手段と、この受光手段毎に対応して設けられそれぞれ対応する受光手段によって変換された電気信号が入力される複数の同調手段と、これら複数の同調手段の出力信号を合成する合成手段と、を具備する。そして、合成手段の出力レベルが各高周波信号の基準周波数と同じ周波数において所定レベル以上となるように、各同調手段の周波数特性が設定されたこと、を特徴とするものである。
【０００９】
即ち、第１の発明では、送信側から送られてくる赤外線は、複数の受光手段によって受光され、電気信号に変換される。そして、変換された各電気信号は、それぞれに対応する同調手段に入力され、ここで同調処理を施される。さらに、この同調処理後の信号は、合成手段によって合成される。従って、合成手段からは、全ての同調手段による同調結果を総合した信号が出力される。そして、この合成手段の出力レベルが、各高周波信号の基準周波数と同じ周波数において所定レベル以上となるように、それぞれの同調手段の周波数特性、例えば同調周波数が設定される。具体的には、例えば、同調手段の数が、受信しようとする高周波信号（チャンネル）の数と同じである場合は、それぞれの高周波信号の基準周波数が必ずいずれかの同調手段の同調周波数と一致するように、当該各同調手段の同調周波数が設定される。一方、同調手段の数が、受信しようとする高周波信号の数と同じでない場合は、各高周波信号の基準周波数と同じ周波数において合成手段の出力レベル（選択度）が極力大きくなるように、かつ当該各周波数間での合成手段の出力レベルの差（選択度の差）が極力小さくなるように、各同調手段の同調周波数が設定される。なお、ここで言う所定レベルとは、例えば良好な感度で通信を行うのに必要とされる信号レベルの下限値を言う。
【００１０】
この第１の発明において、受光手段のそれぞれは、赤外線が入射されるフォトダイオードを備え、同調手段のそれぞれは、対応する受光手段のフォトダイオードの容量成分を構成要素に含むものとしてもよい。即ち、フォトダイオードは、接合容量を有するいわゆる容量性の素子である。そこで、かかるフォトダイオードの容量成分を利用して、同調手段を構成し、具体的には並列共振回路を構成する。このようにすれば、同調手段を簡単かつ安価に実現することができる。
【００１１】
また、複数の受光手段は、所定領域内の各地点から送られてくる赤外線を確実に受光できるように構成するのが、望ましい。具体的には、例えば、上述のフォトダイオードを複数設け、これら複数のフォトダイオードを所定領域内の互いに異なる地点に向けた状態で配置する。このようにすれば、所定領域内の各地点から送られてくる赤外線を満遍なく受光することができる。なお、ここで言う所定領域とは、例えば、この第１の発明の赤外線受信装置による仕様上（設計上）の通信可能領域のことを言う。
【００１２】
そして、高周波信号は、周波数変調されたいわゆるＦＭ信号であるのが、望ましい。
【００１３】
第２の発明は、赤外線を媒体として送られてくる互いに基準周波数の異なる複数の高周波信号を受信する赤外線受信装置において、当該赤外線を受光して電気信号に変換する受光手段と、この受光手段によって変換された電気信号が入力される同調手段と、この同調手段の同調周波数を任意の高周波信号の基準周波数に一致させる同調制御手段と、を具備する。そして、高周波信号のそれぞれは、互いに周波数帯域の異なる第１周波数信号と第２周波数信号とが混合された混合信号を含む。さらに、同調手段の出力信号から混合信号を再現する再現手段と、この再現手段によって再現された混合信号を第１周波数信号と第２周波数信号とに分離する分離手段と、を備えることを特徴とするものである。
【００１４】
この第２の発明では、送信側から送られてくる赤外線は、受光手段によって受光され、電気信号に変換される。そして、変換された電気信号は、同調手段に入力され、ここで同調処理を施される。この同調手段の同調周波数は、任意の高周波信号の基準周波数と一致するように、つまり同調するように、同調制御手段によって制御される。従って、同調手段からは、任意の高周波信号が、高い信号レベル（選択度）で出力される。さらに、この高周波信号には、互いに周波数帯域の異なる第１周波数信号と第２周波数信号とが混合された混合信号が含まれている。この混合信号は、再現手段によって再現され、再現された混合信号は、分離手段によって第１周波数信号と第２周波数信号とに分離される。
【００１５】
なお、第２周波数信号は、第１周波数信号よりも周波数帯域の高い信号、例えば副搬送波信号（サブキャリア）として、当該第１周波数信号に重畳されるのが、望ましい。
【００１６】
そして、この第２の発明においても、受光手段は、赤外線が入射されるフォトダイオードを備え、同調手段は、当該フォトダイオードの容量成分を構成要素に含むのが、望ましい。
【００１７】
第３の発明は、赤外線を媒体として送られてくる互いに基準周波数の異なる複数の高周波信号を受信する赤外線受信装置において、当該赤外線を受光して電気信号に変換する受光手段と、この受光手段によって変換された電気信号が入力される同調手段と、を具備する。そして、同調手段は、入力された電気信号に複同調処理を施すものであり、この同調手段の出力レベルが基準周波数と同じ周波数において所定レベル以上となるように当該同調手段の周波数特性が設定されたこと、を特徴とするものである。
【００１８】
この第３の発明では、送信側から送られてくる赤外線は、受光手段によって受光され、電気信号に変換される。そして、変換された電気信号は、同調手段に入力され、ここで複同調処理を施される。このように複同調処理が施されるので、単同調処理が施される場合に比べて、受信帯域幅が拡大する。さらに、この同調手段の出力レベルが各高周波信号の基準周波数と同じ周波数において所定レベル以上となるように、換言すれば各高周波信号を良好な感度で受信するのに十分なレベルとなるように、当該同調手段の周波数特性が設定される。
【００１９】
なお、同調手段の周波数特性は、平坦特性または双峰特性であるのが、望ましい。換言すれば、当該同調手段を構成する２つの同調回路を、臨界結合または密結合させるのが、望ましい。
【００２０】
また、この第３の発明においても、受光手段は、赤外線が入射されるフォトダイオードを備え、同調手段は、当該フォトダイオードの容量成分を構成要素に含むようにするのが、望ましい。
【００２１】
さらに、第４の発明は、赤外線を媒体として送られてくる互いに基準周波数の異なる複数の高周波信号を同時に１以上受信する赤外線受信装置において、当該赤外線を受光して電気信号に変換する受光手段と、この受光手段によって変換された電気信号が入力される同調手段と、受信しようとする高周波信号の数に応じて同調手段の周波数特性を変化させる特性制御手段と、を具備する。そして、同調手段の出力レベルが、受信しようとする高周波信号の基準周波数と同じ周波数において、当該受信しようとする高周波信号の数に応じた所定レベル以上となるように、同調手段の周波数特性が設定されたこと、を特徴とするものである。
【００２２】
この第４の発明では、送信側から送られてくる赤外線は、受光手段によって受光され、電気信号に変換される。そして、変換された電気信号は、同調手段に入力され、ここで同調処理を施される。この同調手段の周波数特性は、受信しようとする高周波信号の数に応じて、特性制御手段によって制御される。具体的には、同調手段の出力レベルが、受信しようとする高周波信号の基準周波数と同じ周波数において、当該受信しようとする高周波信号の数に応じた所定レベル以上となるように、換言すれば当該高周波信号を良好な感度で受信するのに十分なレベルとなるように、制御される。
【００２３】
なお、特性制御手段は、同調手段の周波数特性のＱ値を変化させるもの、つまりＱダンプ処理を施すものであってもよい。この場合、受信しようとする高周波信号の数に応じて、Ｑ値を変化させる。具体的には、受信しようとする高周波信号の数が少ないほど、Ｑ値を大きくし、受信しようとする高周波信号の数が多いほど、当該Ｑ値を小さくする。
【００２４】
そして、この第４の発明においても、受光手段は、赤外線が入射されるフォトダイオードを備え、同調手段は、当該フォトダイオードの容量成分を構成要素に含むものとしてもよい。
【００２５】
第５の発明は、赤外線を媒体として送られてくる互いに基準周波数の異なる複数の高周波信号を同時に１以上受信する赤外線受信装置において、当該赤外線を受光して電気信号に変換する複数の受光手段と、この受光手段毎に対応して設けられそれぞれ対応する受光手段によって変換された電気信号が入力される複数の同調手段と、受信しようとする高周波信号の数に応じてそれぞれの同調手段を個別に有効化する有効化手段と、この有効化手段によって有効化された同調手段の出力信号を合成する合成手段と、を具備する。そして、合成手段の出力レベルが、受信しようとする高周波信号の基準周波数と同じ周波数において所定レベル以上となるように、当該複数の同調手段の周波数特性が設定されたこと、を特徴とするものである。
【００２６】
即ち、この第５の発明では、送信側から送られてくる赤外線は、複数の受光手段によって受光され、電気信号に変換される。そして、変換された各電気信号は、それぞれに対応する同調手段に入力され、ここで同調処理を施される。ただし、これらの同調手段は、受信しようとする高周波信号の数に応じて、有効化手段によって個別に有効化される。そして、有効化された同調手段の出力信号のみが、合成手段によって合成される。従って、合成手段からは、有効化された同調手段による同調結果を総合した信号が出力される。そして、この合成手段の出力レベルが、受信しようとする高周波信号の基準周波数と同じ周波数において所定レベル以上となるように、換言すれば当該高周波信号を良好な感度で受信するのに十分なレベルとなるように、各同調手段の周波数特性、例えば同調周波数が設定される。
【００２７】
なお、この第５の発明においても、受光手段のそれぞれは、赤外線が入射されるフォトダイオードを備え、同調手段のそれぞれは、対応する受光手段のフォトダイオードの容量成分を構成要素に含むものとしてもよい。
【発明の効果】
【００２８】
第１の発明によれば、複数の同調手段が設けられており、これら複数の同調手段による総合的な同調レベルが、各高周波信号を良好な感度で受信するのに十分なレベルとなるように、当該各同調手段の周波数特性が設定される。従って、２つのチャンネルを同時に受信するのにＱダンプ処理が施される上述した従来技術に比べて、より高感度で、かつ受信帯域幅の広い赤外線受信装置を実現することができる。
【００２９】
第２の発明によれば、同調手段の同調周波数が、任意の高周波信号の基準周波数と一致するように制御される。従って、任意の高周波信号を、高感度で受信することができる。しかも、それぞれの高周波信号には、第１周波数信号および第２周波数信号という互いに周波数帯域の異なる２つの信号が含まれている。つまり、これら２つの信号を、互いに同じ感度で同時に受信することができる。
【００３０】
第３の発明によれば、同調手段による同調処理として複同調処理が施される。従って、Ｑダンプ処理が施される、換言すれば単同調処理が前提とされる従来技術に比べて、高感度で、かつ受信帯域幅の広い赤外線受信装置を実現することができる。
【００３１】
第４の発明によれば、受信しようとする高周波信号の数に応じて、当該高周波信号を良好な感度で受信することができるように、同調手段の周波数特性が制御される。これに対して、上述の従来技術では、受信しようとするチャンネルの数（使用しようとする光ワイヤレスマイクロホン６の本数）に関係なく、常に一定のＱダンプ処理が施され、換言すれば、Ｑダンプ処理を施す必要のない状況でも常に当該Ｑダンプ処理が施される。従って、かかる従来技術とは異なり、実際に受信しようとする高周波信号を、常に最適な感度で受信することができる。
【００３２】
第５の発明によれば、複数の同調手段が設けられており、受信しようとする高周波信号の数に応じて、当該複数の同調手段が個別に有効化される。そして、有効化された同調手段による総合的な同調レベルが、受信しようとする高周波信号を良好な感度で受信するのに十分なレベルとなるように、各同調手段の周波数特性が設定される。従って、２つのチャンネルを同時に受信するためにＱダンプ処理が施される上述した従来技術に比べて、高感度で、かつ受信帯域幅の広い赤外線受信装置を実現することができる。
【発明を実施するための最良の形態】
【００３３】
この発明の第１実施形態について、図１〜図１６を参照して説明する。
【００３４】
この第１実施形態は、図１に示すような赤外線会議システム１０にこの発明を適用したものであり、当該赤外線会議システム１０は、主装置としての１台のセンタ装置１２と、中継装置としての複数台の送受光装置１４，１４，…と、それぞれマイクロホン１６を備えた複数台の端末装置１８，１８，…とを、具備する。このうち、センタ装置１２は、例えば会議室の隅に設置され、各送受光装置１４，１４，…は、同会議室の天井または壁面に取り付けられる。そして、各端末装置１８，１８，…は、同会議室の適宜位置、例えば各発言者用のテーブル上に、配置される。なお、各端末装置１８，１８，…には、個別の識別番号が付与されている。
【００３５】
センタ装置１２は、複数、例えば４つの入出力端子２０，２０，…を有しており、これら４つの入出力端子２０，２０，…のそれぞれに、１台以上の送受光装置１４を接続することができる。具体的には、例えば図１において１番上に示される入出力端子２０のように、伝送線路としての１本の同軸ケーブル２２を介して、１台の送受光装置１４を接続することができる。また、図１において上から２番目に示される入出力端子２０のように、１台の混合分配器２４を用いることで、複数台、詳しくは最大で４台の送受光装置１４，１４，…を接続することができる。さらに、図１において上から３番目に示される入出力端子２０のように、複数台（図１では２台）の混合分配器２４，２４，…を用いることで、より多くの（５台以上の）送受光装置１４，１４，…を接続することもできる。そして、図１において１番下に示される入出力端子２０のように、送受信装置１４が接続されない、いわゆる空き端子が存在してもよい。
【００３６】
なお、混合分配器２４は、１つの１次端子２６と４つの２次端子２８，２８，…とを備えており、１次端子２６から入力された信号を各２次端子２８，２８，…に分配し、または各２次端子２８，２８，…から入力された信号を混合して１次端子２６から出力させるものである。このため、１次端子２６は、同軸ケーブル２２を介してセンタ装置１２の入出力端子２０に接続され、または別の混合分配器２４の２次端子２８に接続される。そして、それぞれの２次端子２８は、同軸ケーブル２２を介して送受光装置１４に接続され、或いは別の混合分配器２４の１次端子２６に接続される。また、二次端子２８は、空き端子とされてもよい。さらに、後述するように、同軸ケーブル２２には各送受光装置１４，１４，…の駆動電源とされる直流電力が重畳されており、混合分配器２４は、この直流電力を１次端子２６側から各２次端子２８，２８，…側へと伝送させる機能をも有する。かかる混合分配器２４は、例えば天井裏や壁裏に設置される。
【００３７】
ここで、この赤外線会議システム１０の全体の動作について簡単に説明する。例えば、今、或る端末装置１８によって発言要求が成されたとする。この発言要求は、端末装置１８に設けられた図示しない操作パネル上の発言要求スイッチの操作によって行われる。すると、当該端末装置１８内において、発言要求が成されたことを表す上り制御データが生成される。この上り制御データには、当該発言要求の要求元を表す識別番号も組み込まれる。そして、この上り制御データは、所定の基準周波数の上りＦＭ信号に変換（周波数変調）され、さらに、この上りＦＭ信号は、波長が８７０［ｎｍ］の赤外線に変換（輝度変調）されて、当該端末装置１８から発射される。なお、この赤外線を発射させるために、端末装置１８は、図示しない赤外線発光ダイオードを備えている。
【００３８】
端末装置１８から発射された上りの赤外線は、適宜の場所、例えば当該端末装置１８の近傍にある送受光装置１４に入射される。送受光装置１４は、入射された赤外線を電気信号に変換し、さらにこの電気信号に同調処理を施す。これによって、上述の上りＦＭ信号が抽出される。抽出された上りＦＭ信号は、同軸ケーブル２２を介して、或いはこれに加えて１台以上の混合分配器２４を介して、センタ装置１２に送られる。
【００３９】
センタ装置１２は、送受光装置１４から送られてきた上りＦＭ信号を受信し、受信した上りＦＭ信号に復調処理を施す。これによって、上り制御データが再現される。さらに、センタ装置１２は、再現された上り制御データを解析して、このたび発言要求が成されたこと、および当該発言要求の要求元である端末装置１８を認識する。そして、その端末装置１８に対して発言を許可する旨の下り制御データを生成し、さらに、この下り制御データを上述の上りＦＭ信号とは異なる基準周波数の下りＦＭ信号に変換する。この下りＦＭ信号は、同軸ケーブル２２を介して、或いはこれに加えて１台以上の混合分配器２４を介して、全ての送受光装置１４，１４，…に送られる。
【００４０】
各送受光装置１４，１４，…のそれぞれは、図示しない赤外線発光ダイオードを備えており、センタ装置１２から送られてくる下りＦＭ信号に従って当該赤外線発光ダイオードを発光させる。これによって、波長が８７０［ｎｍ］の赤外線が、各送受光装置１４，１４，…（赤外線発光ダイオード）から発射される。
【００４１】
各送受光装置１４，１４，…から発射された下りの赤外線は、適宜、各端末装置１８，１８，…に入射される。それぞれの端末装置１８は、入射された赤外線を電気信号に変換し、変換された電気信号に同調処理を施す。これによって、下りＦＭ信号が抽出される。さらに、端末装置１８は、抽出された下りＦＭ信号に復調処理を施して、下り制御データを再現する。そして、再現された下り制御データが自身宛に送られてきたものであるか否か、例えば当該下り制御データに自身の識別番号が組み込まれているか否かを、判断する。ここで、自身宛に送られてきた下り制御データを受信した端末装置１８のみが、発言を許可され、言わば有効化される。
【００４２】
有効化された端末装置１８によって発言が成されると、つまり当該端末装置１８のマイクロホン１６に音声が入力されると、このマイクロホン１６から出力される音声信号に基づいて、改めて上りＦＭ信号が生成される。なお、この上りＦＭ信号の基準周波数は、下り制御データによって指定される。そして、生成された上りＦＭ信号は、上述したのと同様に、赤外線に変換されて、当該端末装置１８から発射される。
【００４３】
端末装置１８から発射された上りの赤外線は、上述の如く当該端末装置１８の近傍にある送受光装置１４に入射される。送受光装置１４は、入射された赤外線を電気信号に変換し、さらにこの電気信号に同調処理を施す。これによって、上りＦＭ信号が抽出される。そして、抽出された上りＦＭ信号は、センタ装置１２に送信される。
【００４４】
センタ装置１２は、送受光装置１４から送られてきた上りＦＭ信号を受信し、受信した上りＦＭ信号に復調処理を施す。これによって、上述の発言に従う音声信号が再現される。再現された音声信号は、センタ装置１２の図示しない外部出力端子に接続された図示しない外部スピーカに供給される。これにより、発言内容を表す音声が再生される。さらに、センタ装置１２は、再現された音声信号に基づいて、改めて下りＦＭ信号を生成する。この下りＦＭ信号は、上述と同様に、各送受光装置１４，１４，…に送られる。
【００４５】
各送受光装置１４，１４，…のそれぞれは、センタ装置１２から送られてきた下りＦＭ信号の供給に従って、上述の赤外線発光ダイオードを発光させる。これによって、各送受光装置１４，１４，…（赤外線発光ダイオード）から赤外線が発射され、当該赤外線は、各端末装置１８，１８，…に入射される。
【００４６】
各送受光装置１４，１４，…のそれぞれは、入射された赤外線を電気信号に変換し、変換された電気信号に同調処理を施す。これによって、下りＦＭ信号が抽出される。さらに、端末装置１８は、抽出された下りＦＭ信号に復調処理を施して、音声信号を再現する。この音声信号は、上述した操作パネルに設けられた図示しないモニタ用スピーカに入力される。これによって、上述の発言内容を表す音声が再生される。つまり、それぞれの端末装置１８において、当該音声をモニタすることができる。
【００４７】
ところで、この第１実施形態においては、最大で４台の端末装置１８，１８，…によって同時に発言可能とされている。つまり、各端末装置１８，１８，…から送受光装置１４，１４，…を経てセンタ装置１２に至る言わば上り音声チャンネルとして、４つのチャンネルが用意されている。具体的には、図２に示すように、上り音声チャンネルとして、ＣＨ１，ＣＨ２，ＣＨ３およびＣＨ４という４つのチャンネルが用意されており、それぞれの基準周波数（搬送波の周波数）は、７．３５［ＭＨｚ］，８．１０［ＭＨｚ］，８．５５［ＭＨｚ］および９．１５［ＭＨｚ］とされている。また、これら４つの上り音声チャンネルＣＨ１，ＣＨ２，ＣＨ３およびＣＨ４の他に、上り制御データ専用の制御用チャンネルＣＨ０も、用意されている。この制御用チャンネルＣＨ０の基準周波数は、６．４５［ＭＨｚ］とされている。
【００４８】
一方、センタ装置１２から送受光装置１４，１４，…を経て各端末装置１８，１８，…に至る言わば下りチャンネルとしては、２つのチャンネルが用意されている。具体的には、図２に示すように、基準周波数が１．９５［ＭＨｚ］であるチャンネルＣＨ１と、基準周波数が２．２５［ＭＨｚ］であるチャンネルＣＨ２とが、用意されている。このうちチャンネルＣＨ１は、主音声用のチャンネルであり、チャンネルＣＨ２は、副音声用のチャンネルである。通常は、主音声チャンネルＣＨ１が優先的に使用され、副音声チャンネルＣＨ２は、例えば同時通訳音を放送するときに使用される。この同時通訳音は、例えばセンタ装置１２の図示しない外部入力端子に接続された図示しない外部マイクロホンから入力される。また、各端末装置１８，１８，…の上述した操作パネルには、主音声チャンネルＣＨ１および副音声チャンネルＣＨ２のいずれか一方を任意に選択するための図示しないチャンネル選択スイッチが設けられており、このチャンネル選択スイッチによって選択されたチャンネルＣＨ１またはＣＨ２の音声（発言内容または同時通訳音）のみが、当該各端末装置１８，１８，…側で再生される。
【００４９】
なお、下りチャンネルＣＨ１およびＣＨ２のそれぞれは、下り制御データを伝送させるための制御用チャンネルとしても兼用される。具体的には、下り制御データは、下りの音声信号と混合された状態で、当該下りチャンネルＣＨ１またはＣＨ２を介して伝送される。このとき、下り制御データは、周波数が３０［ｋＨｚ］の副搬送波信号（サブキャリア）によって音声信号に重畳され、当該下り制御データの変調方式としては、例えばＦＳＫ（Frequency Shift Keying）方式が採用される。なお、これらの下りチャンネルＣＨ１およびＣＨ２によって伝送される制御データは、互いに同じものであってもよいし、異なるものであってもよい。
【００５０】
このように、第１実施形態においては、５つの上りチャンネルＣＨ０〜ＣＨ４と、２つの下りチャンネルＣＨ１およびＣＨ２とが、用意されている。そして、下りチャンネルＣＨ１およびＣＨ２のそれぞれは、音声用チャンネルおよび制御用チャンネルとして兼用される。これを実現するために、センタ装置１２，送受光装置１４，１４，…および端末装置１８，１８，…のそれぞれは、次のように構成されている。
【００５１】
即ち、まず、センタ装置１２は、図３に示すように、上述した４つの入出力端子２０，２０，…を有しており、これら４つの入出力端子２０，２０，…のそれぞれに、外部（送受光装置１４）から上りＦＭ信号が入力される。この上りＦＭ信号は、それぞれの入出力端子２０毎に設けられた直流カット用のコンデンサ１２０，１２０，…を介して、ＲＦ（Radio Frequency）混合分配回路１２２に入力される。ＲＦ混合分配回路１２２は、各コンデンサ１２０，１２０，…を介して入力された（最大で）４つのＦＭ信号を混合し、混合された上りＦＭ信号は、当該ＲＦ混合分配回路１２２から出力され、ハイパスフィルタ１２４を介して受信回路１２６に入力される。
【００５２】
受信回路１２６は、図には示さないが、各上りチャンネルＣＨ０〜ＣＨ４に対応する５つの復調回路を有しており、これら５つの復調回路のそれぞれに、（混合された）上りＦＭ信号が入力される。各復調回路は、入力された上りＦＭ信号に復調処理を施して、互いに異なる上りチャンネルＣＨ０〜ＣＨ４の信号を取り出す。これによって、制御用チャンネルＣＨ０の上り制御データ、および各上り音声チャンネルＣＨ１〜ＣＨ４の音声信号が、再現される。そして、再現された制御データは、制御回路１２８に入力され、各音声信号は、ＡＦ（Audio Frequency）混合分配回路１３０に入力される。
【００５３】
制御回路１２８は、図示しないＣＰＵ（Central Processing Unit）を有しており、受信回路１２６から入力された上り制御データを解析する。そして、この解析結果に基づいて、下り制御データを生成し、これを送信回路１３２に入力する。また、制御回路１２８には、操作手段としての図示しない操作キーが接続されており、制御回路１２８は、この操作キーの操作に従って、次に説明するＡＦ混合分配回路１３０の動作を制御するための制御信号を生成する。
【００５４】
ＡＦ混合分配回路１３０は、上述の制御信号に従って、例えば受信回路１３０から入力された音声信号を混合する。そして、この混合された音声信号を、上述した外部出力端子に送り出すと共に、主音声チャンネルＣＨ１の下り音声信号として送信回路１３２に入力する。また、ＡＦ混合分配回路１３０には、上述した外部入力端子を介して音声信号（例えば同時通訳音）が入力される。ＡＦ混合分配回路図１３０は、この外部入力端子を介して入力される音声信号を、例えば副音声チャンネルＣＨ２の下り音声信号として送信回路１３２に入力する。
【００５５】
送信回路１３２は、図４に示すように、２つのＦＭ信号生成回路２００および２００ａを有している。これらのうちの一方、例えば図４において上方側に示されるＦＭ信号生成回路２００は、主音声チャンネルＣＨ１用の回路であり、ＡＦ混合分配回路１３０から当該主音声チャンネルＣＨ１の下り音声信号が入力されるＡＦ増幅回路２０２を有している。このＡＦ増幅回路２０２に入力された下り音声信号は、ここで増幅された後、混合手段としての重畳回路２０４に入力される。また、ＦＭ信号生成回路２００は、制御回路１２８から下り制御データが入力されるデータ変調回路２０６を有している。このデータ変調回路２０６には、副局部発振回路２０８から周波数が３０［ｋＨｚ］の副搬送波信号も入力されており、当該データ変調回路２０６は、この副搬送波信号を下り制御データによって周波数変調（ＦＳＫ）する。この周波数変調後の言わばサブキャリア信号もまた、重畳回路２０４に入力される。
【００５６】
重畳回路２０４は、データ変調回路２０６から入力されるサブキャリア信号を、ＡＦ増幅回路２０２から入力される下り音声信号に重畳する。そして、このサブキャリア信号が重畳された下り音声信号、言わば混合信号は、さらに変調回路２１０に入力される。変調回路２１０には、主局部発振回路２１２から周波数が１．９５［ＭＨｚ］の搬送波信号も入力されており、当該変調回路２１０は、この搬送波信号を混合信号によって周波数変調（ＦＭ）する。これによって、下りＦＭ信号が生成され、生成された下りＦＭ信号は、ＲＦ増幅回路２１４によって増幅された後、混合回路２１６に入力される。
【００５７】
かかる構成の主音声チャンネルＣＨ１用のＦＭ信号生成回路２００に対して、副音声チャンネルＣＨ２用のＦＭ信号生成回路２００ａもまた、当該主音声チャンネルＣＨ１用のＦＭ信号生成回路２００と同様のＡＦ増幅回路２０２ａ，重畳回路２０４ａ，データ変調回路２０６ａ，副局部発振回路２０８ａ，変調回路２１０ａ，主局部発振回路２１２ａおよびＲＦ増幅回路２１４ａを有している。ただし、主局部発振回路２１２ａから変調回路２１０ａに入力される搬送波信号の周波数は、２．２５［ＭＨｚ］とされている。そして、この副音声チャンネルＣＨ２用のＦＭ信号生成回路２００ａによって生成された下りＦＭ信号もまた、混合回路２１６に入力される。
【００５８】
混合回路２１６は、各ＦＭ信号生成回路２００および２００ａから入力される２つの下りＦＭ信号を混合する。そして、この混合された下りＦＭ信号が、送信回路１３２の出力信号とされる。
【００５９】
図３に戻って、送信回路１３２から出力された下りＦＭ信号は、ローパスフィルタ１３４を介してＲＦ混合分配回路１２２に入力される。なお、このローパスフィルタ１３４のカットオフ周波数は、下りチャンネルＣＨ１およびＣＨ２の上限周波数（２．２５［ＭＨｚ］に所定の帯域幅を加味した周波数）よりも高く、かつ上りチャンネルＣＨ０〜ＣＨ４の下限周波数（６．４５［ＭＨｚ］に所定の帯域幅を加味した周波数）よりも低い値とされており、例えば２．７０［ＭＨｚ］とされている。一方、上述したハイパスフィルタ１２４のカットオフ周波数は、当該ローパスフィルタ１３４のカットオフ周波数よりも高く、かつ上りチャンネルＣＨ０〜ＣＨ４の下限周波数よりも低い値とされており、例えば５．１６［ＭＨｚ］とされている。従って、ローパスフィルタ１３４から出力された下りＦＭ信号が、ハイパスフィルタ１２４を介して受信回路１２６に入力されることはない。また、ＲＦ混合分配回路１２２から出力された上述の上りＦＭ信号が、ローパスフィルタ１３４を介して送信回路１３２に入力されることもない。
【００６０】
ＲＦ混合分配回路１２２は、ローパスフィルタ１３４から入力された下りＦＭ信号を４つに分配する。分配された下りＦＭ信号は、各コンデンサ１２０，１２０，…を介して各入出力端子２０，２０，…へと送られ、当該各入出力端子２０，２０，…から外部（送受光装置１４）に出力される。
【００６１】
さらに、センタ装置１２は、上述した各送受光装置１４，１４，…の駆動電源としての例えば＋２４［Ｖ］の直流電力を生成する電源回路１３６を有している。この直流電力は、それぞれ個別の交流カット用のローパスフィルタ１３８，１３８，…を介して、各入出力端子２０，２０，…に供給される。そして、下りＦＭ信号に重畳された状態で、当該各入出力端子２２，２２，…から外部に出力される。
【００６２】
一方、それぞれの送受光装置１４は、図５に示すように、同軸ケーブル２２が接続される端子１４０を備えている。即ち、この端子１４０を介して、外部（センタ装置１２）から下りＦＭ信号および直流電力が入力されると共に、外部へ上りＦＭ信号が出力される。
【００６３】
このうち、当該端子１４０を介して外部から入力された直流電力は、交流カット用のローパスフィルタ１４２を経て、電源回路１４４に入力される。電源回路１４４は、入力された直流電力を基に、送受光装置１４内の各回路を駆動させるための複数種類（電圧値）の直流電源電圧Ｖｃｃを生成する。
【００６４】
そして、下りＦＭ信号は、直流カット用のコンデンサ１４６を介してローパスフィルタ１４８およびハイパスフィルタ１５０に入力される。ここで、ローパスフィルタ１４８のカットオフ周波数は、下りチャンネルＣＨ１およびＣＨ２の上限周波数よりも高く、かつ上りチャンネルＣＨ０〜ＣＨ４の下限周波数よりも低い値とされており、例えば２．７０［ＭＨｚ］とされている。これに対して、ハイパスフィルタ１５０のカットオフ周波数は、ローパスフィルタ１４８のカットオフ周波数よりも高く、かつ上りチャンネルＣＨ０〜ＣＨ４の下限周波数よりも低い値とされており、例えば５．１６［ＭＨｚ］とされている。従って、ローパスフィルタ１４８に入力された下りＦＭ信号は、当該ローパスフィルタ１４８を通過して、ＲＦ増幅回路１５２に入力される。一方、ハイパスフィルタ１５０に入力された下りＦＭ信号は、当該ハイパスフィルタ１５０を通過することはない。
【００６５】
ＲＦ増幅回路１５２に入力された下りＦＭ信号は、ここで増幅された後、送光回路１５４に入力される。送光回路１５４は、発光手段としての上述した赤外線発光ダイオードを有しており、ＲＦ増幅回路１５２から入力された下りＦＭ信号に従って当該赤外線発光ダイオードを発光させる。これによって、赤外線発光ダイオードから赤外線が発射される。なお、この赤外線発光ダイオードは、複数個、設けられており、これら複数個の赤外線発光ダイオードは、互いに異なる方向に向けて配置されている。これによって、互いに異なる方向に向けて赤外線が発射され、広い通信（送信）領域が確保されている。
【００６６】
送受光装置１４はまた、受光回路１５６を備えている。受光回路１５６は、各端末装置１８，１８，…から送られてくる上りの赤外線を受光して電気信号に変換すると共に、この電気信号に同調処理を施して上りＦＭ信号を抽出する。抽出された上りＦＭ信号は、ＲＦ増幅回路１５８によって増幅された後、ハイパスフィルタ１５０およびコンデンサ１４８を介して端子１４０へと送られ、当該端子１４０から外部（センタ装置１２）に出力される。
【００６７】
なお、ハイパスフィルタ１５０から出力された上りＦＭ信号は、ローパスフィルタ１４８にも入力されるが、上述したように、このローパスフィルタ１４８のカットオフ周波数は、上りチャンネルＣＨ０〜ＣＨ４の下限周波数よりも低い値とされている。従って、このローパスフィルタ１４８に入力された上りＦＭ信号が、当該ローパスフィルタ１４８を通過して、言わば下り用のＲＦ増幅回路１５２に入力されることはない。
【００６８】
さて、受光回路１５６は、５つの上りチャンネルＣＨ０〜ＣＨ４を同時に受信する必要がある。つまり、６．４５［ＭＨｚ］〜９．１５［ＭＨｚ］という受信帯域（厳密にはこれよりも少し広めの帯域）を保証する必要がある。このため、受光回路１５６は、図６に示すような構成とされている。
【００６９】
即ち、受光回路１５６は、２つの光電変換回路２２０および２２０ａを有している。これらうちの一方、例えば図６において上方側に示される光電変換回路２２０は、受光手段としてのフォトダイオード２２２を、複数個、例えば４個有している。これらのフォトダイオード２２２，２２２，…は、互いに並列に接続されており、それぞれのカソード端子には、直流電源電圧Ｖｃｃが印加されている。そして、各フォトダイオード２２２，２２２，…のアノード端子は、コイル２２４を介して接地電位（ＧＮＤ）に接続されている。つまり、各フォトダイオード２２２，２２２，…には、いわゆる逆バイアス電圧が印加されている。
【００７０】
この構成によれば、フォトダイオード２２２，２２２，…に上りの赤外線が入射されると、その赤外線の入射強度に応じて、当該フォトダイオード２２２，２２２，…のアノード端子の電圧が変化する。ここで、フォトダイオード２２２，２２２，…は、接合容量を含む容量成分を有しているので、この容量成分とコイル２２４のインダクタンスとによって、並列共振回路、つまり同調回路２２６が形成される。この同調回路２２６の同調周波数（共振周波数）ｆ１は、当該容量成分の大きさと、コイル２２４のインダクタンス値とによって、決まる。このうち、容量成分の大きさは、フォトダイオード２２２，２２２，…の個数によって決まるので、当該同調周波数ｆ１は、コイル２２４のインダクタンス値によって調整される。この同調周波数ｆ１は、例えば必要とされる受信帯域（６．４５［ＭＨｚ］〜９．１５［ＭＨｚ］）の中心周波数（７．８０［ＭＨｚ］）よりも低めの値とされ、具体的には上りチャンネルＣＨ０およびＣＨ１の各基準周波数（６．４５［ＭＨｚ］および７．３５［ＭＨｚ］）の間に設定され、より具体的には下りチャンネルＣＨ１の基準周波数（７．３５［ＭＨｚ］）よりも少し低めの約７．２［ＭＨｚ］とされている。この結果、フォトダイオード２２２，２２２，…によって変換された電気信号のうち、当該約７．２［ＭＨｚ］付近の周波数帯域の信号が、同調回路２２６によって抽出される。
【００７１】
この同調回路２２６によって抽出された信号は、カップリング・コンデンサ２２８を介して、前置増幅回路２３０に入力され、具体的には当該前置増幅回路２３０を構成するＮチャネル型のＦＥＴ（Field Effect Transistor）２３２のゲート端子に入力される。なお、前置増幅回路２３０は、ＦＥＴ２３２と、このＦＥＴ２３２のゲート端子および接地電位間に接続されたバイアス用の抵抗器２３４と、ＦＥＴ２３２のドレイン端子および電源ライン（Ｖｃｃ）間に接続された電源供給用の抵抗器２３６と、ＦＥＴ２３２のソース端子および接地電位間に接続されたソース接地用の抵抗器２３８と、当該抵抗器２３８と並列に接続されたバイパス用のコンデンサ２４０と、で構成されている。また、この前置増幅回路２３０の近傍において、電源ラインは、バイパス用のコンデンサ２４２を介して接地電位に接続されている。
【００７２】
この前置増幅回路２３０によって増幅された信号は、直流カット用のコンデンサ２４４を介して、合成手段としての加算回路２４６に入力され、詳しくは当該加算回路２４６を構成する入力用抵抗器２４８を介してオペアンプ２５０の反転入力端子に入力される。このオペアンプ２５０の反転入力端子は、帰還用抵抗器２５２を介して当該オペアンプ２５０の出力端子に接続されており、非反転入力端子は、接地電位に接続されている。
【００７３】
かかる構成の光電変換回路２２０に対して、他方の光電変換回路２２０ａもまた、当該光電変換回路２２０と同様の４つのフォトダイオード２２２ａ，２２２ａ，…，コイル２２４ａ，カップリング・コンデンサ２２８ａ，前置増幅回路２３０ａ（ＦＥＴ２３２ａ，抵抗器２３４ａ，２３６ａ，２３８ａ，およびコンデンサ２４０ａ），バイパス用コンデンサ２４２ａおよび直流カット用コンデンサ２４４ａを備えている。ただし、コイル２２４ａについては、コイル２２４と異なるインダクタンス値のものが用いられている。具体的には、同調回路２２６ａの同調周波数ｆ２が、必要とされる受信帯域の中心周波数よりも高めの値となるように、より詳しくは上りチャンネルＣＨ３およびＣＨ４の各基準周波数（８．５５［ＭＨｚ］および９．１５［ＭＨｚ］）の間の値となるように、さらに詳しくは下りチャンネルＣＨ４の基準周波数（９．１５［ＭＨｚ］）よりも少し低めの約８．７［ＭＨｚ］となるように、当該コイル２２４ａのインダクタンス値が選定されている。そして、この光電変換回路２２０ａの出力信号もまた、加算回路２４６に入力され、詳しくは入力用抵抗器２４６ａを介してオペアンプ２５０の反転入力端子に入力される。
【００７４】
加算回路２４６は、各光電変換回路２２０および２２０ａから入力される信号を加算して、その加算結果を出力する。つまり、加算回路２４６からは、２つの光電変換回路２２０および２２０ａによる受信結果、換言すれば２つの同調回路２２６および２２６ａによる同調結果、を総合した信号が出力される。そして、この加算回路２４６（オペアンプ２５０）の出力信号が、受光回路１５６の出力信号として、図５のＲＦ増幅回路１５８に入力される。
【００７５】
図７に、受光回路１５６の周波数特性を示す。具体的には、図７に実線で示される曲線Ａが、当該受光回路１５６の出力信号をスペクトル・アナライザによって測定した結果を表す。また、図７に点線で示される曲線Ｂは、参考用であり、同調回路を１つだけ有する言わば常套的な赤外線受光回路の出力信号を同じ条件下で測定した結果を表す。なお、この参考用の受光回路の同調周波数は、７．８［ＭＨｚ］（６．４５［ＭＨｚ］〜９．１５［ＭＨｚ］の中心周波数）である。また、図７において縦軸に示される信号レベル値は、曲線Ｂの信号レベルの最大値を基準（０［ｄＢ］）とした相対値を表す。
【００７６】
この図７から判るように、曲線Ａの特性を有する受光回路１５６によれば、各上りチャンネルＣＨ０〜ＣＨ４と同じ周波数（６．４５［ＭＨｚ］，７．３５［ＭＨｚ］，８．１０［ＭＨｚ］，８．５５［ＭＨｚ］および９．１５［ＭＨｚ］）において、それぞれ約−６．４［ｄＢ］，−２．９［ｄＢ］，−６．８［ｄＢ］，−４．３［ｄＢ］および−５．４［ｄＢ］という信号レベル（選択度）が得られる。換言すれば、各同調回路２２６および２２６ａの同調周波数ｆ１およびｆ２を上述の如く（約７．２［ＭＨｚ］および約８．２［ＭＨｚ］という周波数に）設定することで、かかる信号レベルを得ることができる。これに対して、曲線Ｂの特性を有する常套的な受光回路によれば、その同調周波数に近い周波数、例えば上りチャンネルＣＨ１〜ＣＨ３と同じ周波数においては、受光回路１５６と略同等またはそれ以上の信号レベルが得られるが、当該同調周波数から離れた周波数、例えば上りチャンネルＣＨ０およびＣＨ４と同じ周波数においては、受光回路１５６に比べて信号レベルが非常に（約３［ｄＢ］ほど）小さい。
【００７７】
ここで、例えば、それぞれの上りチャンネルＣＨ０〜ＣＨ４において良好な受信感度を得るには−８［ｄＢ］以上の信号レベルが必要である、とすると、この第１実施形態における受光回路１５６によれば、全ての上りチャンネルＣＨ０〜ＣＨ４においてこの条件が満足される。つまり、全ての上りチャンネルＣＨ０〜ＣＨ４において良好な感度を得ることができる。一方、これまでの常套的な受光回路によれば、２つの上りチャンネルＣＨ０およびＣＨ４において当該条件が満足されず、つまり当該２つの上りチャンネルＣＨ０およびＣＨ４において良好な感度を得ることができない。なお、かかる常套的な受光回路に対して例えば上述した従来技術のようにＱダンプ処理が施されたとしても、図７における曲線Ｂのピーク付近が平坦化されるだけであり、信号レベルはさらに低下する。即ち、この第１実施形態における受光回路１５６によれば、高い受信感度を確保しつつ、従来よりも広い受信帯域幅を得ることができる。
【００７８】
なお、図６における言わば低域用の光電変換回路２２０を構成するフォトダイオード２２２は、外形的には、図８（ａ）に示すようなものである。即ち、扁平な直方体状の本体２６０を有しており、この本体２６０の一方主面（図６において上方側の面）側に長方形状の受光面２６２が形成されている。そして、本体２６０の他方主面側に、複数本のリード端子２６４，２６４，…が設けられている。このフォトダイオード２２２は、受光面２２２ｂの中心を通る法線を受光中心軸（光軸）としており、当該受光中心軸を基準（入射角が０度）として、図８（ｂ）に示すような概略円形状の指向特性を有する。詳しくは、相対感度が半値（０．５）以上の領域（角度）を有効とすると、有効視野は、受光中心軸を中心として約±６５度である。他方の言わば高域用の光電変換回路２２０ａのフォトダイオード２２２ａもまた、これと同一規格のものであり、同様の本体２６０ａ，受光面２６２ａおよびリード端子２６４ａ，２６４，…を有している。
【００７９】
これら合計８個のフォトダイオード２２２，２２２，…および２２２ａ，２２２ａ，…は、図９に示すように、それぞれの受光面２６２，２６２，…および２６２ａ，２６２ａ，…を外側に向けた状態で、円（八角形）を描くように、配置されている。また、低域用のフォトダイオード２２２，２２２，…と、高域用のフォトダイオード２２２ａ，２２２ａ，…とが、当該円に沿って交互に配置されている。つまり、低域用のフォトダイオード２２２，２２０，…は、それぞれの受光面２６２，２６２，…を９０度ずつ異なる方向に向けて配置されており、高域用の光電変換回路２２０ａのフォトダイオード２２２ａ，２２０ａ，…もまた、それぞれの受光面２６２ａ，２６２ａ，…を９０度ずつ異なる方向に向けて配置されている。このように配置されることで、受光回路１５６は、空間的にも各上りチャンネルＣＨ０〜ＣＨ４を満遍なく受信することができるようになる。
【００８０】
即ち、図９に各フォトダイオード２２２，２２２，…および２２２ａ，２２２ａ，…の指向特性を重ねて表すと、図１０のようになる。例えば、低域用のフォトダイオード２２２，２２２，…に注目すると、図９に点線２７０，２７０，…で示すように、９０度ずつ異なる方向に当該低域用の受信（受光）可能領域が形成される。そして、これらの受信可能領域２７０，２７０，…を総合すると、概ね図１１に点線２７２で示すような受信可能領域が得られる。つまり、各フォトダイオード２２２，２２２，…による４つの受信可能領域２７０，２７０，…が互いに空間的に補間（カバー）されるので、当該点線２７２で示すような３６０度にわたる受信可能領域が形成される。これと同様に、図１０において、高域用のフォトダイオード２２２ａ，２２２ａ，…に注目すると、図１０に一点鎖線２７０ａ，２７０ａ，…で示すように、９０度ずつ異なる方向に当該広域用の受信可能領域が形成される。そして、これらの受信可能領域２７０ａ，２７０ａ，…を総合すると、概ね図１１に一点鎖線２７２ａで示すような３６０度にわたる受信可能領域が形成される。このように低域および高域のそれぞれにおいて３６０度にわたる受信可能領域２７２および２７２ａが形成されるので、様々な方向から送られてくる上りチャンネルＣＨ０〜ＣＨ４の信号（赤外線）を満遍なく受信することができる。
【００８１】
なお、図９〜図１１は、例えば天井に取り付けられた状態にある送受光装置１４の各フォトダイオード２２２，２２２，…および２２２ａ，２２２ａ，…の部分を上方（天井裏側）から見た図である。これらの図９〜図１０においては、説明の便宜上、各フォトダイオード２２２，２２２，…および２２２ａ，２２２ａ，…が、それぞれの受光面２６２，２６２，…および２６２ａ，２６２ａ，…を水平方向（紙面に沿う方向）に向けた状態で記載されているが、実際には、当該受光面２６２，２６２，…および２６２ａ，２６２ａ，…を斜め下方（若干床面側）に向けた状態で取り付けられる。
【００８２】
次に、端末装置１８について説明する。端末装置１８は、図１２に示すように、下りの赤外線を受光する受光回路１６０を備えている。この受光回路１６０は、受光した赤外線を電気信号に変換すると共に、変換された電気信号に同調処理を施して、２つの下りチャンネルＣＨ１およびＣＨ２のうちの一方の下りＦＭ信号を抽出する。いずれの下りチャンネルＣＨ１またはＣＨ２の下りＦＭ信号を抽出するかは、後述する制御回路１６２から与えられるチャンネル選択制御信号に従う。抽出された下りＦＭ信号は、ＲＦ増幅回路１６４によって増幅された後、周波数変換回路１６６に入力される。
【００８３】
周波数変換回路１６６には、局部発振回路１６８から周波数が１２．６５［ＭＨｚ］または１２．９５［ＭＨｚ］の高周波信号も、入力される。いずれの周波数の高周波信号が入力されるかは、上述のチャンネル選択制御信号に従う。そして、周波数変換回路１６６は、ＲＦ増幅回路１６４から入力された下りＦＭ信号を、局部発振回路１６８から入力された高周波信号と混合して、周波数が１０．７［ＭＨｚ］の中間周波信号に変換する。変換された中間周波信号は、ＩＦ（intermediate frequency）増幅回路１７０によって増幅された後、復調回路１７２に入力される。
【００８４】
復調回路１７２は、入力された中間周波信号に復調処理を施して、上述の混合信号（サブキャリア信号が重畳された下り音声信号）を生成する。そして、この混合信号は、分離手段としての分離回路１７４に入力され、ここで下り音声信号とサブキャリア信号とに分離される。このうち、下り音声信号は、ＡＦ増幅回路１７６を経て、上述のモニタ用スピーカに入力される。これによって、当該モニタ用スピーカからチャンネルＣＨ１またはＣＨ２の音声が出力される。一方、サブキャリア信号は、データ復調回路１７８に入力され、ここで復調処理を施される。これによって、下り制御データが再現され、再現された下り制御データは、制御回路１６２に入力される。
【００８５】
制御回路１６２は、ＣＰＵを有しており、データ復調回路１７８から入力された下り制御データを解析する。ここで、例えば、この下り制御データが自身宛ての（自身の識別番号を含む）ものであり、かつ発言を許可するの旨の情報を含むとき、制御回路１８０は、マイクロホン１６の出力が有効化されるように切換回路１８０を制御する。即ち、マイクロホン１６から出力される上り音声信号は、ＡＦ増幅回路１８２を経て切換回路１８０に入力されており、制御回路１８０は、この上り音声信号が変調回路１８４に入力されるように当該切換回路１８０を制御する。また、制御データには、上り音声チャンネルＣＨ１〜ＣＨ４のいずれかを指定する旨の情報も含まれており、制御回路１８０は、その指定情報に従って局部発振回路１８６を制御する。これによって、局部発振回路１８６から周波数が７．３５［ＭＨｚ］，８．１０［ＭＨｚ］，８．５５［ＭＨｚ］または９．１５［ＭＨｚ］の高周波信号が出力され、この高周波信号は、変調回路１８４に入力される。
【００８６】
変調回路１８４は、局部発振回路１８６から入力された高周波信号を、切換回路１８４から入力された上り音声信号によって周波数変調する。これによって、上りＦＭ信号が生成され、この上りＦＭ信号は、ＲＦ増幅回路１８８によって増幅された後、送光回路１９０に入力される。送光回路１９０は、発光手段としての上述した赤外線発光ダイオードを有しており、ＲＦ増幅回路１８８から入力された上りＦＭ信号に従って当該赤外線発光ダイオードを発光させる。これによって、赤外線発光ダイオードから赤外線が発射される。なお、この赤外線発光ダイオードもまた、上述した送受光装置１４における赤外線発光ダイオードと同様に、複数個、設けられており、これら複数個の赤外線発光ダイオードは、互いに異なる方向に向けて赤外線を発射させるべく、互いに異なる方向に向けて配置されている。
【００８７】
また、制御回路１６２には、上述した操作パネルも接続されており、当該操作パネルに設けられた上述の発言要求スイッチが操作されたとき、データ生成回路１９２を制御して、その旨を表す制御データを生成させると共に、当該データ生成回路１９２の出力が有効化されるように切換回路１８０を制御する。これによって、切換回路１８０を介して制御データが変調回路１８４に入力される。また、制御回路１６２は、局部発振回路１８６を制御して、制御チャンネルＣＨ０に従う周波数が６．４５［ＭＨｚ］の高周波信号を出力させる。この高周波信号もまた、変調回路１８４に入力される。この結果、制御データに基づく上りＦＭ信号が生成され、この上りＦＭ信号は、上述と同様に赤外線に変換されて発射される。
【００８８】
さらに、制御回路１６２は、上述の操作パネルに設けられたチャンネル選択スイッチの操作に従って、チャンネル選択制御信号を生成する。そして、このチャンネル選択制御信号は、上述の如く受光回路１６０および局部発振回路１６８に入力され、この結果、当該チャンネル選択制御信号に従う一方の下り音声チャンネルＣＨ１またはＣＨ２の音声が、モニタ用スピーカから出力される。
【００８９】
ここで、受光回路１６０について、もう少し詳しく説明すると、当該受光回路１６０は、図１３のように構成されている。この図１３に示すように、受光回路１６０は、上述した図６に示す送受光装置１４の受光回路１５６（光電変換回路２２０および２２０ａ）と同様に、受光手段としてのフォトダイオード３００を、複数個、例えば４個有している。これらのフォトダイオード３００，３００，…は、互いに並列に接続されており、それぞれのカソード端子には、直流電源電圧Ｖｃｃが印加されている。そして、各フォトダイオード３００，３００，…のアノード端子は、２つのコイル３０２および３０４のうちの一方を介して接地電位に接続される。つまり、各フォトダイオード３００，３００，…には、逆バイアス電圧が印加される。なお、当該アノード端子がいずれのコイル３０２または３０４を介して接地電位に接続されるかは、切換スイッチ３０６によって切り換わり、この切換スイッチ３０６の動作は、上述のチャンネル選択制御信号によって制御される。また、直流電源電圧Ｖｃｃは、図示しないバッテリを電力供給源とする図示しない電源回路によって生成される。
【００９０】
この構成によれば、フォトダイオード３００，３００，…と、２つのコイル３０２および３０４と、切換スイッチ３０６とによって、同調周波数を切換可能な同調回路３０８が形成される。そして、この同調回路３０８による同調周波数は、切換スイッチ３０６の動作、つまりチャンネル選択制御信号に従って切り換えられる。具体的には、チャンネル選択制御信号に従って例えばコイル３０２が選択（接地電位に接続）されたとき、同調回路３０８の同調周波数は、下りチャンネルＣＨ１に従う周波数、つまり１．９５［ＭＨｚ］となる。また、このような同調周波数となるように、当該コイル３０２のインダクタンスが設定されている。一方、チャンネル選択制御信号に従ってコイル３０４が選択されたとき、同調周波数は、下りチャンネルＣＨ２に従う周波数、つまり２．２５［ＭＨｚ］となり、かかる同調周波数となるように、当該コイル３０４のインダクタンスが設定されている。従って、同調回路３０８からは、チャンネル選択制御信号に従う下りチャンネルＣＨ１またはＣＨ２の下りＦＭ信号が、高い信号レベル（選択度）で出力される。
【００９１】
同調回路３０８から出力された下りＦＭ信号は、図６における光電変換回路２２０および２２０ａと同様に、カップリング・コンデンサ３１０を介して、前置増幅回路３１２に入力される。この前置増幅回路３１２は、当該光電変換回路２２０および２２０ａにおける前置増幅回路２３０および２３０ａと同様のＦＥＴ３１４，３つの抵抗器３１６，３１８，３２０およびコンデンサ３２２を有している。そして、この前置増幅回路３１２による増幅後の下りＦＭ信号が、受光回路１６０の出力信号として、直流カット用のコンデンサ３２４を介して、図１２のＲＦ増幅回路１６４に入力される。なお、前置増幅回路３１２の近傍において、電源ライン（Ｖｃｃ）は、バイパス用のコンデンサ３２６を介して接地電位に接続されている。
【００９２】
このように、受光回路１６０内には、同調周波数を切換可能な同調回路３０８が設けられており、その同調周波数は、チャンネル選択制御信号に従って、つまりチャンネル選択スイッチの操作に従って、任意の下りチャンネルＣＨ１またはＣＨ２の基準周波数に設定される。従って、任意の下りチャンネルＣＨ１およびＣＨ２の下りＦＭ信号を高い選択度で抽出することができ、ひいては当該任意の下りチャンネルＣＨ１およびＣＨ２において高い受信感度を得ることができる。
【００９３】
以上の説明から判るように、この第１実施形態における送受光装置１４によれば、受光回路１５６内に複数の同調回路２２６および２２６ａが設けられている。そして、これら複数の同調回路２２６および２２６ａによる総合的な同調レベルが、全ての上りチャンネルＣＨ０〜ＣＨ４において良好な受信感度を得るのに必要かつ十分なレベルとなるように、当該各同調回路２２６および２２６ａの同調周波数ｆ１およびｆ２が設定される。従って、Ｑダンプ処理を採用する上述した従来技術に比べて、より高い感度、および広い受信帯域幅を得ることができる。
【００９４】
また、それぞれの端末装置１６側においては、２つの下りチャンネルＣＨ１およびＣＨ２の両方を同時に受信する必要はなく、チャンネル選択スイッチの操作に従う一方の下りチャンネルＣＨ１またはＣＨ２のみを良好に受信することができれば、足りる。そのため、受光回路１６０内の同調回路３０８は、当該一方の下りチャンネルＣＨ１またはＣＨ２のみに同調する。従って、２つの下りチャンネルＣＨ１およびＣＨ２のそれぞれを、従来よりも高い感度で受信することができる。また、受信された下りチャンネルＣＨ１およびＣＨ２には、下り音声信号と下り制御データとが含まれている。つまり、これら下り音声信号と下り制御データとを、互いに同じ感度で受信することができる。言い換えると、例えば、送受光装置１４と端末装置１６との間で、下り音声信号については正常に送受信されるが、下り制御データについては正常に送受信されない、というような不都合は生じず、よって、これら送受光装置１４と端末装置１６との間での通信の信頼性が向上する。
【００９５】
なお、この第１実施形態においては、送受光装置１４側の受光回路１５６を上述の図６のように構成したが、これに限らない。例えば、図１４に示すように、それぞれのフォトダイオード２２２または２２２ａ毎に、図６と同様の光電変換回路２２０および２２０ａを設け、これらの複数（合計８個）の光電変換回路２２０，２２０，…および２２０ａ，２２０ａ，…の出力信号を加算回路２４６で加算してもよい。ただし、この場合、それぞれの光電変換回路２２０または２２０ａ（同調回路２２６または２２６ａ）を構成するフォトダイオード２２２または２２２ａの数が、図６とは異なるので、当該光電変換回路２２０または２２０ａを構成するコイル２２４または２２４ａのインダクタンス値も、図６における値とは異なる。
【００９６】
また、図６における前置増幅回路２３０および２３０ａに代えて、例えば図１５に示す構成の回路３５０を採用してもよい。即ち、上述したように送受光装置１４はセンタ装置１２から供給される直流電力を駆動電源とするため、当該送受光装置１４の消費電力は極力少ないことが、望ましい。また、送受光装置１４に入射される上りの赤外線の強度は非常に小さいため、かかる微弱な赤外線を比較的にレベルの大きい電気信号（上りＦＭ信号）に変換する必要がある。つまり、送受光装置１４の消費電力を抑えつつ、微弱な上りの赤外線をレベルの大きい電気信号に変換する必要がある。そこで、図１５に示すように、図６における前置増幅回路２３０および２３０ａと同様の回路３５２の後段に、エミッタフォロア回路３５４および高周波増幅回路３５６を設ける。
【００９７】
具体的に説明すると、初段の回路３５２は、図６における前置増幅回路２３０および２３０ａと同様のＦＥＴ３５８，抵抗器３６０，３６２，３６４およびコンデンサ３６６から成る。このように高入力インピーダンス素子であるＦＥＴ３５８を採用することにより、高出力インピーダンス素子であるフォトダイオード２２２，２２２，…および２２２ａ，２２２ａ，…の出力信号を適切に増幅することができる。そして、この初段回路３５２の出力信号（ＦＥＴ３５８のドレイン端子から出力される信号）は、直流カット用のコンデンサ３６８を介して、次段のエミッタフォロア回路３５４に入力され、詳しくは当該エミッタフォロア回路３５４を構成するＮＰＮ型のトランジスタ３７０のベース端子に入力される。なお、後述するように、初段回路３５２を駆動するための電力は、エミッタフォロア回路３５４および高周波増幅回路３５６を介して当該初段回路３５２に供給される。このため、一端がＦＥＴ３５８のドレイン端子に接続された抵抗器３６０の他端は、エミッタフォロア回路３５４を構成するエミッタ接地用の抵抗器３７２を介して、トランジスタ３７０のエミッタ端子に接続されている。また、当該抵抗器３６０の他端（抵抗器３７２との接続点）は、バイパス用のコンデンサ３７４を介して接地電位に接続されている。
【００９８】
エミッタフォロア回路３５４は、トランジスタ３７０と上述したエミッタ接地用の抵抗器３７２とから成り、初段回路３５２から入力される信号を高入力インピーダンスで受ける。そして、このエミッタフォロア回路３５４の出力信号（トランジスタ３７０のエミッタ端子から出力される信号）は、直流カット用のコンデンサ３７６を介して、最終段の高周波増幅回路３５６に入力され、詳しくは当該高周波増幅回路３５６を構成するＮＰＮ型トランジスタ３７８のベース端子に入力される。なお、エミッタフォロア回路３５４の入力端子であるトランジスタ３７０のベース端子には、直流のバイアス電圧が印加されており、詳しくは、当該ベース端子は、抵抗器３８０および３８２を介して電源ライン（Ｖｃｃ）に接続されると共に、抵抗器３８４を介して接地電位に接続されている。また、後述するように、このエミッタフォロア回路３５４を駆動するための電力は、高周波回路３５６を介して当該エミッタフォロア回路３５４に供給される。このため、トランジスタ３７０のコレクタ端子は、トランジスタ３７０のエミッタ端子に接続されている。また、当該コレクタ端子は、バイパス用のコンデンサ３８６を介して接地電位にも接続されている。
【００９９】
高周波増幅回路３５６は、トランジスタ３７８と、このトランジスタ３７８のドレイン端子と電源ラインとの間に接続された電源供給用の抵抗器３８８と、を有する。そして、上述した３つの抵抗器３８０，３８２および３８４は、トランジスタ３７８のベース端子に直流バイアス電圧を印加するためのバイアス抵抗器としても機能し、具体的には、抵抗器３８０および３８２の相互接続点に当該ベース端子が接続されている。なお、この高周波増幅回路３５６の近傍において、電源ラインはバイパス用のコンデンサ３９０を介して接地電位に接続されている。そして、この高周波増幅回路３５６の出力信号（トランジスタ３７８のコレクタ端子から出力される信号）が、図１５に示す前置増幅回路３５０全体の出力信号として、図６の加算回路２４６に（直流カット用コンデンサ２４４または２４４ａを介して）入力される。
【０１００】
このように構成された前置増幅回路３５０によれば、直流的には、電源ラインは、抵抗器３８８，トランジスタ３７８のコレクタ端子−エミッタ端子間，トランジスタ３７０のコレクタ端子−エミッタ端子間，抵抗器３７２，抵抗器３６０，ＦＥＴ３５８のドレイン端子−ソース端子間，および抵抗器３６４を介して、接地電位に接続されている。従って、図１５に点線の矢印３９２で示すように、高周波増幅回路３５６，エミッタフォロア回路３５４および初段回路３５２を駆動させるための駆動電流Ｉｄが、これらの回路３５６，３５４および３５２を介して流れる。つまり、これらの回路３５２，３５４および３５６は、互いに共通の駆動電流Ｉｄ（駆動電力）の供給によって駆動する。従って、その分、前置増幅回路３５０全体の消費電力が抑制される。なお、電源ラインの電圧値Ｖｃｃは、例えば＋１５［Ｖ］〜＋２４［Ｖ］程度の比較的に高い値にするのが、望ましい。このようにすれば、駆動電流Ｉｄを１［ｍＡ］程度に抑えることができる。
【０１０１】
また、図１５に示すように、初段回路３５２に高入力インピーダンス素子であるＦＥＴ３５８を採用すると共に、この初段回路３５２の出力信号を、インピーダンス変換用のエミッタフォロア回路３５４を介して最終段の高周波増幅回路３５６に入力することで、特に高周波増幅回路３５６の増幅率の増大が可能となる。この結果、前置増幅回路３５０全体として、例えば約５０［ｄＢ］という極めて大きな増幅率を得ることができる。
【０１０２】
つまり、図１５に示す前置増幅回路３５０を採用することによって、低消費電力でありながら、微弱な上り赤外線（上りＦＭ信号）をより良好な感度で受信することのできる送受光装置１４を、実現することができる。なお、この図１５に示す構成は、端末装置１８側の受光回路１６０にも適用することができる。即ち、図１３における前置増幅回路３１２に代えて、当該図１５の回路３５０を採用してもよい。
【０１０３】
さらに、この第１実施形態では、上述の図９〜図１１に示したように、低域側のフォトダイオード２２２，２２２，…の一群と、高域側のフォトダイオード２２２ａ，２２２ａ，…の一群とを、互いに４５度だけ異なる方向に向けて配置したが、これに限らない。例えば、図１６に示すように、これら低域側のフォトダイオード２２２，２２２，…の一群と、高域側のフォトダイオード２２２ａ，２２２ａ，…の一群とを、互いに同じ方向に向けた配置してもよい。この場合、図１６に示すように、低域側のフォトダイオード２２２，２２２，…と、高域側のフォトダイオード２２２ａ，２２２ａ，…とを、言わば横並びに（図１６の紙面に沿う方向に並べて）配置してもよいし、言わば縦方向（図１６の紙面の表裏方向）に重ねて配置してもよい。
【０１０４】
そして、上述の図２に示したように、上りチャンネルとして１つの制御チャンネルＣＨ０と４つの音声チャンネルＣＨ１〜ＣＨ４を設けたが、これ以外のチャンネル数としてもよい。また、下りチャンネル数ＣＨ１およびＣＨ２についても、これ以外のチャンネル数としてもよい。さらに、下りチャンネルＣＨ１およびＣＨ２のそれぞれによって、上り音声信号と上り制御データ（サブキャリア信号）との両方を伝送させるようにしたが、これに限らない。即ち、下りチャンネルについても、音声信号専用のチャンネルと制御データ専用のチャンネルとを個別に設けてもよい。そして、これら上りチャンネルＣＨ０〜ＣＨ４および下りチャンネルＣＨ１〜ＣＨ２の基準周波数は、図２に示す値に限らない。
【０１０５】
また、第１実施形態では、赤外線会議システム１０を例に挙げて説明したが、これに限らない。即ち、赤外線を媒体とする通信装置であれば、この第１実施形態と同様の技術を適用できることは、言うまでもない。
【０１０６】
次に、この発明の第２実施形態について説明する。
【０１０７】
第２実施形態は、上述の端末装置１４側の受光回路１６０を、図１７のように構成したものであり、上述の図１３における同調回路３０６に代えて、複同調回路４００を採用したものである。これ以外の構成、即ち、直流カット用コンデンサ３１０，前置増幅回路３１２（ＦＥＴ３１４，抵抗器３１６，３１８，３２０，およびコンデンサ３２２），直流カット用コンデンサ３２４，およびバイパス用コンデンサ３２６については、図１３のものと同様であるので、これらの詳しい説明は省略する。なお、フォトダイオード３００，３００，…もまた、図１３に示したのと同様のものである。
【０１０８】
複同調回路４００は、フォトダイオード３００，３００，…と、２つのコイル４０２および４０４と、２つのコンデンサ４０６および４０８と、から成る。具体的には、フォトダイオード３００，３００，…のアノード端子は、コイル４０２を介して、接地電位に接続されている。そして、これらフォトダイオード３００，３００，…のアノード端子とコイル４０２との接続点に、コンデンサ４０６の一端が接続されており、当該コンデンサ４０６の多端は、コイル４０４を介して、接地電位に接続されている。また、このコイル４０４と並列に、コンデンサ４０８が接続されている。そして、これらのコイル４０４，コンデンサ４０６および４０８の相互接続点が、複同調回路４００の出力端子として、コンデンサ３１０を介して、前置増幅回路３１４の入力端子であるＦＥＴ３１４のソース端子に接続されている。
【０１０９】
かかる複同調回路４００の等価回路を、図１８に示す。この図１８に示すように、フォトダイオード３００，３００，…は、Ｃ１という容量成分を有するコンデンサ４１０で表すことができる。そして、このコンデンサ４１０と並列に、コイル４０２が接続されており、これらコンデンサ４１０とコイル４０２との並列回路は、コンデンサ４０６を介して、コイル４０４とコンデンサ４０８との並列回路に接続されている。つまり、静電結合されている。なお、コンデンサ４１０の容量値Ｃ１は、フォトダイオード３００，３００，…の容量および個数によって決まり、コンデンサ４０８の容量値Ｃ２は、当該コンデンサ４１０の容量値Ｃ１と略等価とされている。
【０１１０】
そして、この複同調回路４００は、図１９に示すような周波数特性を有している。即ち、図１９に実線の曲線Ｃで示すように、下りチャンネルＣＨ１の基準周波数（１．９５［ＭＨｚ］）に近い周波数ｆ１’と、下りチャンネルＣＨ２の基準周波数（２．２５［ＭＨｚ］）に近い周波数ｆ２’とにピークを示す、いわゆる双峰特性を有する。より詳しくは、一方のピーク周波数ｆ１’は、下りチャンネルＣＨ１の基準周波数よりも少し低めの約１．９３［ＭＨｚ］とされており、他方のピーク周波数ｆ２’は、下りチャンネルＣＨ２の基準周波数よりも少し高めの約２．２８［ＭＨｚ］とされている。これらのピーク周波数ｆ１’およびｆ２’は、コイル４０２および４０８のインダクタンス値Ｌ１およびＬ２と、コンデンサ４０６の容量値ＣＳと、によって決まる。特に、コンデンサ４０６の容量値ＣＳを大きくすることで、密結合状態となり、この図１９に示すように２つのピークが形成されるようになる。なお、参考までに、各基準周波数の中間の中心周波数（２．１０［ＭＨｚ］）に同調点を有するいわゆる単同調回路の周波数特性を、図１９に点線の曲線Ｄで示す。また、この単同調回路に上述したＱダンプ処理を施した場合の周波数特性を、曲線Ｅで示す。
【０１１１】
この図１９からも明らかなように、この第２実施形態における複同調回路４００によれば、単同調回路に比べて、各下りチャンネルＣＨ１およびＣＨ２の基準周波数と同じ周波数において、高い信号レベル（選択度）を得ることができる。つまり、当該各下りチャンネルＣＨ１およびＣＨ２を、高い感度で受信することができる。また、これら両方の下りチャンネルＣＨ１およびＣＨ２を同時に受信することができるので、第１実施形態（図１３）のような切換スイッチを設ける必要もない。
【０１１２】
なお、この第２実施形態においては、下りチャンネルＣＨ１の基準周波数よりも少し低めの約１．９３［ＭＨｚ］という周波数と、下りチャンネルＣＨ２の基準周波数よりも少し高めの約２．２８［ＭＨｚ］という周波数とに、ピーク周波数ｆ１’およびｆ２’が形成されるようにしたが、これ以外の周波数、例えば各基準周波数（１．９５［ＭＨｚ］および２．２５［ＭＨｚ］）に、当該ピーク周波数ｆ１’およびｆ２’が形成されるようにしてもよい。ただし、図１９からも判るように、複同調回路４００においては、単同調回路に比べて、周波数特性（各ピークの外側）の傾斜が急峻になる。従って、各下りチャンネルＣＨ１およびＣＨ２の基準周波数において高い選択度を得るには、この第２実施形態のように当該各基準周波数から少しずれた周波数（約１．９３［ＭＨｚ］および約２．２８［ＭＨｚ］）にピークが形成されるようにするのが、効果的である。
【０１１３】
また、図１９に曲線Ｃで示すように、複同調回路４００の周波数特性が双峰特性となるようにしたが、これに限らない。例えば、この第２実施形態よりもコンデンサ４０６の容量値を少し小さめにすることで、複同調回路４００をいわゆる臨界結合状態とし、その結果、当該複同調回路４００の周波数特性が平坦特性となるようにしてもよい。
【０１１４】
また、この第２実施形態では、端末装置１８側の受光回路１６０に複同調回路４００を適用する場合について説明したが、これに限らない。即ち、送受光装置１４側の受光回路１５６に同様の複同調回路を適用してもよい。そして、赤外線会議システム１０以外の装置にも、この第２実施形態と同様の技術を応用できることは、言うまでもない。
【０１１５】
続いて、この発明の第３実施形態について、説明する。
【０１１６】
第３実施形態は、この発明を図２０に示すような赤外線マイクシステム５００に応用したものである。即ち、この赤外線マイクシステム５００は、赤外線送信装置としての複数のハンド型マイクロホン５０２，５０２，…を備えている。これらのマイクロホン５０２，５０２，…は、それぞれに入力された音声に従うＦＭ信号を生成し、さらにこのＦＭ信号を赤外線に変換して発射する。発射された赤外線は、赤外線受信装置としての受光装置５０４に入射され、ここで電気信号に変換される。さらに、この電気信号は、同調処理を施され、これによってＦＭ信号が抽出される。抽出されたＦＭ信号は、伝送線路としての同軸ケーブル５０６を介して、本体装置５０８に入力される。本体装置５０８は、入力されたＦＭ信号に復調処理を施して、音声信号を再現する。再現された音声信号は、図示しない外部スピーカに入力され、これによって各マイクロホン５０２，５０２，…側の音声が再生される。
【０１１７】
なお、上述のＦＭ信号の基準周波数は、それぞれのマイクロホン５０２毎に異なり、例えば当該基準周波数としてｆ０〜ｆ４という最大で５つの周波数が用意されている。換言すれば、この第３実施形態の赤外線マイクシステム５００においては、各基準周波数ｆ０〜ｆ４に対応する最大で５つのチャンネルＣＨ０〜ＣＨ４が用意されている。従って、受光装置５０４は、これら複数のチャンネルＣＨ０〜ＣＨ４を同時に受信する必要があり、その実現手段として、Ｑダンプ処理を採用している。ただし、実際に使用されるチャンネル数（マイクロホン５０２の本数）に応じて、当該Ｑダンプ処理の程度を変更できるように構成されており、この点が、上述した従来技術と大きく異なる。なお、各基準周波数ｆ０〜ｆ４の値は、“ｆ３＜ｆ１＜ｆ０＜ｆ２＜ｆ４”という関係にある。
【０１１８】
即ち、受光装置５０４は、図２１に示すような受光回路５１０を有している。この図２１に示すように、受光回路５１０は、Ｑダンプ処理用の３つの抵抗器５１２，５１４および５１６と切換スイッチ５１８とを除いて、基本的には、上述の図６に示した光電変換回路２２０（または２２０ａ）と同様の構成をしている。具体的には、図６に示したのと同様の複数のフォトダイオード５２０，５２０，…と、これら複数のフォトダイオード５２０，５２０，…と共に同調回路５２２を構成するコイル５２４とを、有している。そして、カップリング・コンデンサ５２６と、このカップリング・コンデンサ５２６を介して同調回路５２２の出力信号が入力される前置増幅回路５２８とを、有している。なお、前置増幅回路５２８は、ＦＥＴ５３０と、３つの抵抗器５３２，５３４および５３６と、２つのバイパス用のコンデンサ５３８および５４０とで、構成されている。そして、この前置増幅回路５２８の出力信号が、当該受光回路５１０の出力信号として、直通カット用のコンデンサ５４２を介して、後段の図示しないＲＦ増幅回路に入力される。そして、このＲＦ増幅回路による増幅後の信号が、同軸ケーブル５０６を介して、本体装置５０８へと送られる。
【０１１９】
さて、Ｑダンプ処理用の抵抗器５１２，５１４および５１６は、各フォトダイオード５２０，５２０，…のアノード端子と接地電位との間に設けられており、厳密には、当該アノード端子は、各抵抗器５１２，５１４および５１６のいずれかを介して接地電位に接続される。この接地電位との接続にいずれの抵抗器５１２，５１４または５１６を経由させるのかは、切換スイッチ５１８の手動操作によって切り換わる。なお、各抵抗器５１２，５１４および５１６の抵抗値Ｒ１，Ｒ２およびＲ３は、互いに異なり、例えば“Ｒ１＞Ｒ２＞Ｒ３”という関係にある。
【０１２０】
このようなＱダンプ処理用の抵抗器５１２，３１４および３１６と切換スイッチ５１８とが付加された同調回路２２は、図２２に示すような周波数特性を有する。具体的には、図２２において、実線で示される曲線Ｆは、切換スイッチ５１８によって抵抗器５１２（Ｒ１）が選択されているとき、つまり有効化されているときの周波数特性である。そして、点線で示される曲線Ｇは、抵抗器５１４（Ｒ２）が有効化されているときの周波数特性であり、一点鎖線で示される曲線Ｈは、抵抗器５１６（Ｒ３）が有効化されているときの特性である。
【０１２１】
この図２２から判るように、同調回路２２は、チャンネルＣＨ０の基準周波数ｆ０と同じ周波数に同調点を有している。そして、抵抗器５１２が有効化されているときに、最も大きな選択度が得られ、特にピーク周波数（ｆ０）において他の周波数よりも大きな選択度が得られる。従って、例えばマイクロホン５０２を１本だけ使用する場合には、当該マイクロホン５０２としてチャンネルＣＨ０専用のものを用いると共に、切換スイッチ５１８を操作して抵抗器５１２を有効化することによって、当該マイクロホン５０２から発射される赤外線（ＦＭ信号）を極めて良好な感度で受信することができる。
【０１２２】
そして、切換スイッチ５１８によって抵抗器５１４が有効化されると、同調回路２２の選択度は、上述の抵抗器５１２が有効化されているときよりも全体的に低下するが、ピーク周波数付近、例えばチャンネルＣＨ１の基準周波数ｆ１〜チャンネルＣＨ２の基準周波数ｆ２の範囲においては、当該選択度（特性）は比較的に平坦化される。従って、例えばマイクロホン５０２を３本まで使用するときは、当該３本のマイクロホン５０２，５０２および５０２としてチャンネルＣＨ０〜ＣＨ２用のものを使用すると共に、切換スイッチ５１８を操作して抵抗器５１４を有効化する。このようにすれば、各マイクロホン５０２，５０２，５０２から発射される赤外線を、比較的に良好かつ均一な感度で受信することができる。なお、各チャンネルＣＨ０〜ＣＨ２のうちチャンネルＣＨ０の受信感度が最も高いので、当該チャンネルＣＨ０専用のマイクロホン５０２を優先的に使用するのが、望ましい。
【０１２３】
また、切換スイッチ５１８によって抵抗器５１６が有効化されると、同調回路２２の選択度はさらに低下するが、ピーク周波数を中心とするより広い周波数帯域、例えば全てのチャンネルＣＨ０〜ＣＨ４の基準周波数ｆ０〜ｆ４を含む帯域において、比較的に平坦な選択度が得られる。従って、全てのチャンネルＣＨ０〜ＣＨ４のマイクロホン５０２，５０２，…を使用する場合には、抵抗器５１６を有効化すればよい。ただし、各チャンネルＣＨ０〜ＣＨ４での受信感度は、チャンネルＣＨ０→チャンネルＣＨ１（またはＣＨ２）→チャンネルＣＨ２（またはＣＨ１）→チャンネルＣＨ３（またはＣＨ４）→チャンネルＣＨ４（またはＣＨ３）という順番で徐々に低下するので、この順番に基づいて、各マイクロホン５０２，５０２，…を使用する際の優先順位を付けるのが、望ましい。
【０１２４】
このように第３実施形態によれば、実際に使用するチャンネル（マイクロホン５０２）の数に応じて、Ｑダンプ処理の程度を変化させることができる。従って、当該チャンネル数に応じて、受光装置５０４による赤外線の受信感度を常に最適化することができる。
【０１２５】
なお、この第３実施形態においては、図２０に示す赤外線マイクシステム５００を例に挙げて説明したが、これに限らない。例えば、上述の図１に示す赤外線会議システムに、この第３実施形と同様の技術を適用してもよい。
【０１２６】
次に、この発明の第４実施形態について、説明する。
【０１２７】
第４実施形態は、上述の図２１に示した受光回路５１０に代えて、図２３に示す受光回路６００を、図２０における受信装置５０４に適用したものである。即ち、図２３に示すように、受光回路６００は、上述の図６に示した光電変換回路２２０（または２２０ａ）と同様の複数、例えば３つの光電変換回路６０２，６０２ａおよび６０２ｂを有している。具体的には、例えば図２３において一番上に示される光電変換回路６０２は、図６に示したのと同様の複数のフォトダイオード６０４，６０４，…と、これら複数のフォトダイオード６０４，６０４，…と共に同調回路６０６を構成するコイル６０８とを、有している。そして、カップリング・コンデンサ６１０と、このカップリング・コンデンサ６１０を介して同調回路６０６の出力信号が入力される前置増幅回路６１２とを、有している。なお、前置増幅回路６１２は、ＦＥＴ６１４と、３つの抵抗器６１６，６１８および６２０と、２つのバイパス用のコンデンサ６２２および６２４とで、構成されている。そして、この前置増幅回路６１２の出力信号が、当該光電変換回路６０２の出力信号として、直通カット用のコンデンサ６２６を介して、合成手段としての加算回路６２８に入力され、詳しくは当該加算回路６２８を構成する入力用抵抗器６３０を介してオペアンプ６３２の反転入力端子に入力される。なお、このオペアンプ６３２の反転入力端子は、帰還用抵抗器６３４を介して当該オペアンプ６３２の出力端子に接続されており、非反転入力端子は、接地電位に接続されている。
【０１２８】
そして、図２３において上から２番目に示される光電変換回路６０２ａもまた、上述の光電変換回路６０２と同様の、フォトダイオード６０４ａ，６０４ａ，…，コイル６０８ａ，カップリング・コンデンサ６１０ａ，および前置増幅回路６１２ａ（ＦＥＴ６１４ａ，抵抗器６１６ａ，６１８ａ，６２０ａ，コンデンサ６２２ａおよび６２４ａ）を、有している。また、フォトダイオード６０４ａ，６０４ａ，…とコイル６０８ａとによって、同調回路６０６ａが構成されている。そして、前置増幅回路６１２ａの出力信号が、当該光電変換回路６０２ａの出力信号として、コンデンサ６２６ａおよび抵抗器６３０ａを介して、オペアンプ６３２の反転入力端子に入力される。なお、このオペアンプ６３２の反転入力端子と抵抗器６３０ａとの間には、これら両者を互いに接続または非接続とする手動の直列スイッチ６３６ａが設けられている。
【０１２９】
図２３において１番下に示される光電変換回路６０２ｂも同様に、フォトダイオード６０４ｂ，６０４ｂ，…，コイル６０８ｂ，カップリング・コンデンサ６１０ｂ，および前置増幅回路６１２ｂ（ＦＥＴ６１４ｂ，抵抗器６１６ｂ，６１８ｂ，６２０ｂ，コンデンサ６２２ｂおよび６２４ｂ）を、有している。また、フォトダイオード６０４ｂ，６０４ｂ，…とコイル６０８ｂとによって、同調回路６０６ｂが構成されている。そして、前置増幅回路６１２ｂの出力信号が、当該光電変換回路６０２ｂの出力信号として、コンデンサ６２６ｂおよび抵抗器６３０ｂを介して、オペアンプ６３２の反転入力端子に入力される。なお、このオペアンプ６３２の反転入力端子と抵抗器６３０ｂとの間にも、上述と同様の直列スイッチ６３６ｂが設けられている。
【０１３０】
そして、加算回路６２６（オペアンプ６３０）の出力信号が、受光回路６００の出力信号として、後段の図示しないＲＦ増幅回路に入力される。
【０１３１】
ここで、各光電変換回路６０２，６０２ａおよび６０２ｂの同調回路６０６，６０６ａおよび６０６ｂは、互いに異なる周波数に同調点を有している。具体的には、光電変換回路６０２の同調回路６０６は、図２４に実線の曲線Ｊで示すように、各チャンネルＣＨ０〜ＣＨ４の基準周波数ｆ０〜ｆ４のうち、最も低い基準周波数ｆ３と同じ周波数に同調点を有している。そして、光電変換回路６０２ａの同調回路６０６ａは、図２４に点線の曲線Ｋで示すように、各チャンネルＣＨ０〜ＣＨ４の基準周波数ｆ０〜ｆ４のうち、中央の基準周波数ｆ０と同じ周波数に同調点を有している。そして、光電変換回路６０２ｂの同調回路６０６ｂは、図２４に一点鎖線の曲線Ｌで示すように、各チャンネルＣＨ０〜ＣＨ４の基準周波数ｆ０〜ｆ４のうち、最も高い基準周波数ｆ４と同じ周波数に同調点を有している。なお、これらの同調回路６０６，６０６ａおよび６０６ｂの同調点（同調周波数）は、コイル６０８，６０８ａおよび６０８ｂのインダクタンス値によって調整される。
【０１３２】
かかる構成によれば、それぞれの直列スイッチ６３６ａおよび６３６ｂがＯＦＦ（開放）されていても、受光回路６００全体としては常に図２４に曲線Ｊで示される周波数特性（選択度）が得られる。従って、例えばマイクロホン５０２を１本だけ使用する場合には、当該マイクロホン５０２としてチャンネルＣＨ３専用のものを用いることで、当該マイクロホン５０２から発射される赤外線（ＦＭ信号）を極めて良好な感度で受信することができる。
【０１３３】
そして、直列スイッチ６３６ａがＯＮ（閉鎖）されると、受光回路６００全体として、上述の曲線Ｊで示される周波数特性に加えて、曲線Ｋで示される周波数特性が追加的に得られると共に、これら曲線ＪおよびＫによって相補された二点鎖線の曲線Ｍで示される周波数特性も得られる。従って、例えばマイクロホン５０２を３本まで使用するときは、当該３本のマイクロホン５０２，５０２および５０２としてチャンネルＣＨ３，ＣＨ１およびＣＨ０用のものを使用すると共に、直列スイッチ６３６ａをＯＮすればよい。なお、このとき、受信しようとする全てのチャンネルＣＨ３，ＣＨ１およびＣＨ０において、良好な受信感度を得るのに最低限必要な所定レベルＳ以上の選択度が得られるように、上述の各同調回路６０６および６０６ａの同調周波数が設定される。
【０１３４】
さらに、両方の直列スイッチ６３６ａおよび６３６ｂがＯＮされると、受光回路６００全体として、上述の曲線Ｊ，ＫおよびＭで示される周波数特性に加えて、曲線Ｌで示される周波数特性が追加的に得られると共に、これら曲線ＫおよびＬによって相補された二点鎖線の曲線Ｎで示される周波数特性も得られる。従って、全てのチャンネルＣＨ０〜ＣＨ４のマイクロホン５０２，５０２，…を使用するときは、両方の直列スイッチ６３６ａおよび６３６ｂをＯＮすればよい。なお、このとき、チャンネルＣＨ２およびＣＨ４においても所定レベルＳ以上の選択度が得られるように、同調回路６０６ａおよび６０６ｂの同調周波数が設定される。
【０１３５】
このように第５実施形態によれば、互いに同調周波数の異なる複数の同調回路６０６，６０６ａおよび６０６ｂが設けられており、実際に使用されるマイクロホン５０２の本数に応じて、当該複数の同調回路６０６，６０６ａおよび６０６ｂ（光電変換回路６０２，６０２ａおよび６０２ｂ）が個別に有効化される。そして、有効化された同調回路６０６，６０６ａおよび６０６による総合的な同調レベルが、当該実際に使用されるマイクロホン５０２用のチャンネルにおいて所定レベルＳ以上となるように、当該各同調回路６０６，６０６ａおよび６０６の同調周波数が設定される。従って、Ｑダンプ処理を採用する従来技術に比べて、より高い感度、およびより広い受信帯域幅を得ることができる。
【０１３６】
なお、この第３実施形態においては、３つの光電変換回路６０４，６０４ａおよび６０４ｂを設けたが、これ以外の数の光電変換回路を設けてもよい。
【０１３７】
また、それぞれの直列スイッチ６３６ａおよび６３６ｂがＯＦＦされたとき、これと連動して、各光電変換回路６０４ａおよび６０４ｂへの電源電圧Ｖｃｃの供給をＯＦＦするスイッチ回路を設けてもよい。このようにすれば、実際に使用されるマイクロホン５０２の本数に応じて、受光装置５０４の消費電力を低減することができる。
【図面の簡単な説明】
【０１３８】
【図１】この発明の第１実施形態の概略構成を示すブロック図である。
【図２】同第１実施形態において通信に使用されるチャンネルの一覧を示す図解図である。
【図３】図１におけるセンタ装置の内部構成を示すブロック図である。
【図４】図３における送信回路の詳細を示すブロック図である。
【図５】図１における送受光装置の内部構成を示すブロック図である。
【図６】図５における受光回路の詳細を示す電気回路図である。
【図７】図６の受光回路の周波数特性を示す図解図である。
【図８】図６におけるフォトダイオードの外観および指向特性を示す図である。
【図９】図６におけるフォトダイオードの配置関係を示す図解図である。
【図１０】図６に各フォトダイオードの指向特性を追記した図解図である。
【図１１】図１０の指向特性を全体的に表した図解図である。
【図１２】図１における端末装置の内部構成を示すブロック図である。
【図１３】図１２における受光回路の詳細を示す電気回路図である。
【図１４】図６とは別の構成例を示す電気回路図である。
【図１５】図６における前置増幅回路の別の構成例を示す電気回路図である。
【図１６】図１０とは別の配置関係および指向特性を示す図解図である。
【図１７】この発明の第２実施形態における端末装置側の受光回路の詳細を示す電気回路図である。
【図１８】図１７における複同調回路の等価回路図である。
【図１９】図１７の受光回路の周波数特性を示す図解図である。
【図２０】この発明の第３実施形態の概略構成を示すブロック図である。
【図２１】図２０における受光装置内の受光回路の詳細を示す電気回路図である。
【図２２】図２１の受光回路の周波数特性を示す図解図である。
【図２３】この発明の第４実施形態における受光装置内の受光回路の詳細を示す電気回路図である。
【図２４】図２３の受光回路の周波数特性を示す図解図である。
【図２５】従来のワイヤレスマイクシステムの概略構成を示すブロック図である。
【符号の説明】
【０１３９】
１０  赤外線会議システム
１２  センタ装置
１４  送受光装置
１８  端末装置
２２２  フォトダイオード
２２４  コイル
２２６  同調回路
２４６  加算回路
【図１】
2005318375.tif 000003
【図２】
2005318375.tif 000004
【図３】
2005318375.tif 000005
【図４】
2005318375.tif 000006
【図５】
2005318375.tif 000007
【図６】
2005318375.tif 000008
【図７】
2005318375.tif 000009
【図８】
2005318375.tif 000010
【図９】
2005318375.tif 000011
【図１０】
2005318375.tif 000012
【図１１】
2005318375.tif 000013
【図１２】
2005318375.tif 000014
【図１３】
2005318375.tif 000015
【図１４】
2005318375.tif 000016
【図１５】
2005318375.tif 000017
【図１６】
2005318375.tif 000018
【図１７】
2005318375.tif 000019
【図１８】
2005318375.tif 000020
【図１９】
2005318375.tif 000021
【図２０】
2005318375.tif 000022
【図２１】
2005318375.tif 000023
【図２２】
2005318375.tif 000024
【図２３】
2005318375.tif 000025
【図２４】
2005318375.tif 000026
【図２５】
2005318375.tif 000027